(57)【要約】【課題】バッテリーポスト端子が必要以上に変形することを抑制する。【解決手段】バッテリーポスト端子の固定構造１は、バッテリーポスト端子１０の側面に嵌合する電極嵌合部２１と、電極嵌合部２１をバッテリーポスト端子１０に嵌合させる固定部３１と、を有し、固定部３１は、電極嵌合部２１と一体で形成されていて、外側に傾斜面３４を有し、内周面３２１に空間を有する伸張部３２と、ネジ部５１が伸張部３２の内周面３２１の空間に挿通されているボルト５０と、複数の脚部４２、脚部４２に支持される天面部４１、脚部４２のそれぞれに設けられ傾斜面３４に沿った傾斜角度を有するスロープ４２１、及び、天面部４１に設けられていてネジ部５１を挿通可能な挿通孔４１１が形成されるスロープ部材４０と、を備え、ボルト５０は、スロープ部材４０が軸線ｚ１方向に移動するのを規制する規制部材５１２，５１３を有する。【選択図】図１
2020161292.tif 000002
【特許請求の範囲】
【請求項１】
バッテリーポスト端子の側面に嵌合する電極嵌合部と、
前記電極嵌合部を前記バッテリーポスト端子に嵌合させる固定部と、
を有するバッテリーポスト端子の固定構造であって、
前記固定部は、
前記電極嵌合部と一体で形成されていて、外側に傾斜面を有し、内周面に空間を有する伸張部と、
ネジ部が前記伸張部の前記内周面の空間に挿通されているボルトと、
複数の脚部、前記脚部に支持される天面部、前記脚部のそれぞれに設けられ前記傾斜面に沿った傾斜角度を有するスロープ、及び、前記天面部に設けられていて前記ネジ部を挿通可能な挿通孔が形成されるスロープ部材と、
を備え、
前記ボルトは、前記スロープ部材が前記軸線方向に移動するのを規制する規制部材を有する、
バッテリーポスト端子の固定構造。
【請求項２】
前記ボルトは、
前記伸張部の間に挿通された前記ネジ部に締付部材を締め付けることにより前記スロープ部材を前記軸線方向に移動させ、
前記スロープ部材は、
前記スロープを前記傾斜面に接触させつつ前記軸線方向に移動することで前記伸張部を押圧し、
前記規制部材は、
前記締付部材が前記ネジ部の締付方向への移動を規制することでスロープ部材が前記軸線方向に移動するのを規制する、
請求項１に記載のバッテリーポスト端子の固定構造。
【請求項３】
前記規制部材は、前記ネジ部に設けられている段差である、
請求項１または２に記載のバッテリーポスト端子の固定構造。
【請求項４】
前記規制部材は、前記ネジ部に被着されるカラーである、
請求項１または２に記載のバッテリーポスト端子の固定構造。
【発明の詳細な説明】
【技術分野】
【０００１】
本発明は、バッテリーポスト端子の固定構造に関する。
【背景技術】
【０００２】
一般に、自動車などの車両に搭載されるバッテリーは、その上面から突出するバッテリーポストが設けられていて、バッテリーポストにバッテリーポスト端子が固定される。このバッテリーポスト端子には、電力供給用のハーネス類が接続される。バッテリーポストにバッテリーポスト端子を固定する構造としては、突出するバッテリーポストの側面をバッテリーポスト端子により挟み込み、ボルトを上下方向から挿通させてナットとスロープ部材とにより締め付け固定するものがある（例えば、特許文献１参照）。
【先行技術文献】
【特許文献】
【０００３】
【特許文献１】特許第６２７８９４８号公報
【発明の概要】
【発明が解決しようとする課題】
【０００４】
ところで、バッテリーポスト端子の固定構造では、ボルトに対する規定トルクを超える締付け、あるいはボルトとナットとの間に防錆用の油が付着した状態で締付けが行われることがある。
【０００５】
しかしながら、従来のバッテリーポスト端子の固定構造では、このような場合に、ナット及びバッテリーポスト端子の固定構造に設けられているスロープ部材の位置が必要以上に下がることで、バッテリーポスト端子が必要以上に変形するおそれがあった。
【０００６】
本発明は、上述した課題に鑑みてなされたものであり、バッテリーポスト端子の変形を抑制し得るバッテリーポスト端子の固定構造を提供することを目的とする。
【課題を解決するための手段】
【０００７】
本発明の代表的な実施の形態に係るバッテリーポスト端子の固定構造は、バッテリーポスト端子の側面に嵌合する電極嵌合部と、前記電極嵌合部を前記バッテリーポスト端子に嵌合させる固定部と、を有するバッテリーポスト端子の固定構造であって、前記固定部は、前記電極嵌合部と一体で形成されていて、外側に傾斜面を有し、内周面に空間を有する伸張部と、ネジ部が前記伸張部の前記内周面の空間に挿通されているボルトと、複数の脚部、前記脚部に支持される天面部、前記脚部のそれぞれに設けられ前記傾斜面に沿った傾斜角度を有するスロープ、及び、前記天面部に設けられていて前記ネジ部を挿通可能な挿通孔が形成されるスロープ部材と、を備え、前記ボルトは、前記スロープ部材が前記軸線方向に移動するのを規制する規制部材を有する。
【発明の効果】
【０００８】
本発明に係るバッテリーポスト端子の固定構造によれば、バッテリーポスト端子の変形を抑制し得るバッテリーポスト端子の固定構造を提供することが可能となる。
【図面の簡単な説明】
【０００９】
【図１】実施の形態１に係るバッテリーポスト端子の固定構造の分解斜視図である。
【図２】実施の形態１に係るバッテリーポスト端子の固定構造のナット締結前の状態を示す斜視図である。
【図３】実施の形態１に係るバッテリーポスト端子の固定構造のナット締結後の状態を示す斜視図である。
【図４】実施の形態１に係るバッテリーポスト端子の固定構造のナット締結前の状態を示す部分断面図である。
【図５】実施の形態１に係るバッテリーポスト端子の固定構造のナット締結後の状態を示す部分断面図である。
【図６】実施の形態２に係るバッテリーポスト端子の固定構造の分解斜視図である。
【図７】実施の形態２に係るバッテリーポスト端子の固定構造のナット締結前の状態を示す斜視図である。
【図８】実施の形態２に係るバッテリーポスト端子の固定構造のナット締結後の状態を示す斜視図である。
【図９】実施の形態２に係るバッテリーポスト端子の固定構造のナット締結前の状態を示す部分断面図である。
【図１０】実施の形態２に係るバッテリーポスト端子の固定構造のナット締結後の状態を示す部分断面図である。
【発明を実施するための形態】
【００１０】
［実施の形態１］
以下、本発明の実施の形態１に係るバッテリーポスト端子の固定構造１について、図面を用いて説明する。
【００１１】
図１は、実施の形態１に係るバッテリーポスト端子の固定構造１の分解斜視図である。図１に示すように、バッテリーポスト端子の固定構造１は、バッテリーポスト端子１０の側面に嵌合する電極嵌合部２１と、電極嵌合部２１をバッテリーポスト端子１０に嵌合させる固定部３１と、を有する。固定部３１は、電極嵌合部２１と一体で形成されていて、外側に傾斜面３４を有し、内周面３２１に空間を有する伸張部３２と、ネジ部５１が伸張部３２の内周面３２１の空間に挿通されているボルト５０と、複数の脚部４２、脚部４２に支持される天面部４１、脚部４２のそれぞれに設けられ傾斜面３４に沿った傾斜角度を有するスロープ４２１、及び、天面部４１に設けられていてネジ部５１を挿通可能な挿通孔４１１が形成されるスロープ部材４０と、を備え、ボルト５０は、スロープ部材４０が軸線ｚ１方向に移動するのを規制する小径部５１２、段差部５１３を有する。以下、バッテリーポスト端子の固定構造１を具体的に説明する。
【００１２】
以下、説明の便宜上、図１におけるバッテリーポスト端子の固定構造１におけるバッテリーポスト端子１０の側面に沿う方向、つまりバッテリーポスト端子１０が係合する不図示のバッテリーポストの軸線ｚ１の方向（以下、軸線方向ともいう。）と平行な方向をｚ軸方向とする。軸線ｚ１方向は、上下方向ともいう。バッテリーポスト端子の固定構造１の軸線ｚ１に直交する方向のうち一方（ｘ軸方向）を左右方向とする。ｘ軸方向は、バッテリーポスト端子の固定構造１における水平方向でもある。また、バッテリーポスト端子の固定構造１の軸線ｚ１に直交する方向のうち他方（ｙ軸方向）を前後方向とする。バッテリーポスト端子の固定構造１において、−ｙ方向を手前側、＋ｙ方向を奥側ともいう。さらに、バッテリーポスト端子の固定構造１において、-ｙ方向から＋ｙ方向に向かって見た方向を正面方向とする。以下の説明において、各構成要素の位置関係や方向を右側、左側、前側、後側、上側、下側として説明するときは、あくまで図面における位置関係や方向を示し、実際のバッテリーポスト端子の固定構造における位置関係や方向を限定するものではない。
【００１３】
図１に示すように、バッテリーポスト端子の固定構造１は、バッテリーポスト端子１０およびスロープ部材４０をボルト５０及び締付部材としてのナット６０を用いて上下方向に締結して組み付けて構成されている。
【００１４】
図２は、バッテリーポスト端子の固定構造のナット６０締結前の状態を示す斜視図である。また、図３は、バッテリーポスト端子の固定構造のナット６０締結後の状態を示す斜視図である。
【００１５】
図１乃至図３に示すように、バッテリーポスト端子１０は、導電性を有する金属材料で形成されている。バッテリーポスト端子１０は、奥側に位置する接続部１１と、接続部１１の手前側に位置する電極嵌合部２１と、電極嵌合部２１よりもさらに手前側に位置する固定部３１とが一体に構成されている。
【００１６】
接続部１１は、不図示のバッテリー状態検出装置の検知センサのケース内に組み込まれる。不図示の電装品用のハーネスは、検知センサを間に介在させる態様で取り付けられる。接続部１１の形状は、この検知センサ内での取付構造に合わせて任意に形成されている。また、接続部１１は、検知センサを支持する構造部材としても機能している。
【００１７】
電極嵌合部２１は、バッテリーポスト端子１０を不図示のバッテリーポストに固定する。電極嵌合部２１は、略錐台形状のバッテリーポストの形状に合わせて内側に空間を有する略錐台形状に形成されている。電極嵌合部２１は、その中央に、上記空間を上下に貫通する円形状の嵌合孔が形成されている。電極嵌合部２１の内周面２２は、バッテリーポストの傾斜する外周面と面で接触するように傾斜している。また、内周面２２には、周方向に間隔を空けて複数の溝２４が設けられており、バッテリーポストの外周面を挟み込むための締付力を高めている。電極嵌合部２１は、バッテリーポストの上側から内周面２２を被せるようにして取り付けられる。
【００１８】
また、電極嵌合部２１は、奥側の部分で接続部１１と一体に連続して形成されているが、手前側の部分では、内周面２２を挟んで左右に分岐（分割）した形状になっている。固定部３１は、左右に分岐した電極嵌合部２１の先端部のそれぞれから手前側に延びるように形成されている。
【００１９】
固定部３１は、電極嵌合部２１の左側から手前側に延びる左側の伸張部３２と、この左側の伸張部３２とその内周面３２１にボルト５０の軸線ｚ１を挟んで左右に空間を設けて配置され、右側の先端部２３から手前側に延びる右側の伸張部３２とで構成されている。なお、固定部３１は、軸線ｚ１を挟んで左右対称な形状であり、以下の説明では特に言及しない限り固定部３１の左側の構造についてのみ説明し、右側の構造については省略する。
【００２０】
図４は、バッテリーポスト端子の固定構造１のナット６０締結前の状態を示す部分断面図である。また、図５は、バッテリーポスト端子の固定構造１のナット６０締結後の状態を示す部分断面図である。図４及び図５は、バッテリーポスト端子の固定構造１を正面から見た図であり、固定部３１の一部のみ断面図で示している。
【００２１】
図４及び図５に示すように、伸張部３２は、手前側から見て、下側から上側に向かうに従い軸線ｚ１に近づくように右上がりまたは左上がりに傾斜する傾斜面３４が形成されている。また、傾斜面３４の前後方向における中央上部には、図１に示すように、内側から外側に向けて略Ｕ字状に拡開されたボス部３５が形成されている。ボス部３５の位置は、図２及び図３に示すように、ボルト５０が取り付けられた状態で、ネジ部５１が挿通される位置と対応している。また、ボス部３５は、固定部３１にスロープ部材４０が組み付けられた状態で、前後に隣り合う脚部４２の間に向けて外方向へ突出するように形成されている。
【００２２】
伸張部３２は弾性を有しており、電極嵌合部２１の奥側の部分を基端部として左右に弾性移動するようになっている。右側の伸張部３２の手前側先端には、端部３６が左方向に向けて略直角に折り曲げられた折り曲げ部３３が形成されている。折り曲げ部３３は、端部３６が左側の伸張部３２の手前側の傾斜面３４の端部と近接する位置に延び出ている。折り曲げ部３３は、左右方向の長さが、伸張部３２の内側の内周面３２１を正面側から覆うように折り曲げられている。
【００２３】
スロープ部材４０は、図１に示すように、バッテリーポスト端子１０の固定部３１の上側から被せるように取り付けられる。スロープ部材４０は、略四角形状の天面部４１と、天面部４１の４つの角部のそれぞれから下側に延びる４つの脚部４２と、天面部４１の中央部に設けられている挿通孔４１１とを有している。天面部４１の辺の長さは、左右方向よりも前後方向の辺が短く形成されている。挿通孔４１１には、後述するボルト５０のネジ部５１が挿通される。４つの脚部４２は、この挿通孔４１１を中心にして前後および左右に対称に配置されており、脚部４２の前後方向の間隔が、左右方向の脚部の間隔よりも狭くなっている。また、天面部４１の上面は、ナット６０が安定して締め付けられるように平面状に形成されている。
【００２４】
脚部４２の左右の内側には、図４および図５に示すように、スロープ４２１がそれぞれ形成されている。このスロープ４２１は、左右の伸張部３２の傾斜面３４と同じ傾斜角度で形成されており、スロープ部材４０を固定部３１に組み付けた状態で、傾斜面３４とスロープ４２１が面で接触するようになる。
【００２５】
脚部４２の下端は、ナット６０を完全に締め付けた状態で、ボルト５０の頭部５２の上面に突き当たるようにしている。すなわち、脚部４２の長さは、ナット６０を締め付けたときの締付トルクとの関係で決定されており、４つの脚部４２が突き当たるまで締め込むようにすることで、過トルクを防止するようにしている。
【００２６】
また、スロープ部材４０の脚部４２は、スロープ部材４０が取り付けられた状態を垂直方向から見て、ボルト５０のネジ部５１を中心に、ネジ部５１の外周に沿って間隔を空けて配置され、ネジ部５１の外側を囲むようにほぼ均等にバランスよく配置されている。
【００２７】
ボルト５０は、図１に示すように、上下方向に延在するネジ部５１と、このネジ部５１の下側に位置する頭部５２とで構成されている。ネジ部５１は、上側を向いている先端部から所定の長さ範囲にネジ山が形成されている雄ネジ部５１１と、スロープ部材４０の移動を規制する規制部材としての段差部５１３と、雄ネジ部５１１と段差部５１３との間に設けられている小径部５１２とを備える。ボルト５０において、小径部５１２と段差部５１３は、スロープ部材４０の軸線ｚ１方向への移動を規制する規制部材として機能する。ボルト５０は、ネジ部５１の基端側、つまり頭部５２側の所定の長さ範囲にネジ山を有しない段差部５１３が設けられている、いわゆる段付きボルトである。
【００２８】
次に、実施の形態１におけるバッテリーポスト端子の固定構造１の作用について説明する。
【００２９】
バッテリーポスト端子の固定構造１において、ナット６０を締結する前の状態は、図２および図４に示すように、固定部３１の上にスロープ部材４０が置かれた状態である。スロープ部材４０のスロープ４２１は、固定部３１の傾斜面３４と面で接触している。また、ボルト５０が固定部３１の下側から挿通され、ネジ部５１が左右の伸張部３２の内周面３２１の空間（より詳細には、左右のボス部３５の間）を通って、スロープ部材４０の挿通孔４１１に挿通され、ナット６０で仮締めされている。
【００３０】
スロープ部材４０の左右方向の位置は、スロープ４２１と傾斜面３４がそれぞれ面で接触することで規制される。また、前後方向の位置は、スロープ部材４０の前後方向の内側面と固定部３１のボス部３５とがそれぞれ接することで規制される。また、スロープ部材４０の前後方向の位置は、脚部４２の前後方向の内側面とボス部３５とによっても規制されている。ボルト５０は、スロープ部材４０の左右方向の外周面と頭部５２の上側の面とが接することによってその位置が規制されている。
【００３１】
図２及び図４に示した状態から、ナット６０をスロープ部材４０の上側から締め付けると、図３及び図５に示すように、スロープ部材４０は、スロープ４２１と傾斜面３４との左右での面接触によって案内されながら軸線ｚ１方向、具体的には下側−ｚ方向（ボルト５０の締付方向。図５参照）に移動する。また、スロープ４２１は、軸線ｚ１方向に移動することにより左右の伸張部３２の傾斜面３４を内側＋ｘ方向または−ｘ方向（図５参照）に押圧する。これにより、左右の伸張部３２の内周面３２１の左右方向の間隔が狭まるように内側へ弾性変形し、電極嵌合部２１の内周面２２内のバッテリーポストが締め付け固定される。
【００３２】
傾斜面３４とスロープ４２１とは、面同士で接触しながら伸張部３２を押圧するため、ナット６０の締結力が伸張部３２に安定して伝わるようになり、伸張部３２がバランス良く押圧される。
【００３３】
脚部４２は、バッテリーポスト端子１０を垂直方向から見て、ボルト５０のネジ部５１を中心に、ネジ部５１の外周に沿って間隔を空けて配置し、ネジ部５１の外側を囲むようにほぼ均等に配置されているため、左右の伸張部３２をほぼ均等な力で内側へと押圧する。これにより、ボルト５０とナット６０の締結後のネジ部５１に多方向から力が作用したとしても、どの方向に対しても均等な固定強度が確保できる。
【００３４】
ボルト５０は、ネジ部５１の雄ネジ部５１１によりスロープ部材４０が軸線ｚ１方向、具体的には下側の−ｚ軸方向に移動する。具体的には、ボルト５０において、ネジ部５１の先端側から雄ネジ部５１１に螺着されたナット６０が雄ネジ部５１１の締付方向、つまり−ｚ１方向に移動することにより、ナット６０に接するスロープ部材４０の天面部４１が押圧されてスロープ部材４０が軸線ｚ１方向に移動する。雄ネジ部５１１は、ネジ部５１の先端部から所定の長さ範囲に形成されているため、この雄ネジ部５１１の長さの範囲内においてナット６０及びスロープ部材４０が軸線ｚ１方向に移動する。
【００３５】
ナット６０が雄ネジ部５１１の基端側、つまり下端まで到達すると、ネジ部５１の小径部５１２及び段差部５１３にナット６０と螺合可能なネジ山が形成されていないため、ナット６０が空転する。このように、ボルト５０は、小径部５１２と段差部５１３が形成されていることにより、ナット６０及びナット６０とともに移動可能なスロープ部材４０が軸線ｚ１方向、具体的には下側の−ｚ軸方向に移動するのを規制する。
【００３６】
本発明の実施の形態１に係るバッテリーポスト端子の固定構造１は、ナット６０とともに移動するスロープ部材４０の軸線ｚ１方向への移動を規制する規制部材としての小径部５１２及び段差部５１３をボルト５０のネジ部５１に設けられている。このように構成されているバッテリーポスト端子の固定構造１によれば、ボルト５０に対する規定トルクを超える締付け、あるいはボルト５０とナット６０との間に防錆用の油が付着した状態で締付けが行われたとしても、ナット６０及びバッテリーポスト端子の固定構造１に設けられているスロープ部材４０の軸線ｚ１方向の位置が必要以上に下がることで、バッテリーポスト端子が必要以上に変形することを抑制することができる。
【００３７】
以上、本発明の実施の形態１に係るバッテリーポスト端子の固定構造１について述べたが、本発明は既述の実施形態に限定されるものではなく、本発明の技術思想に基づいて各種の変形および変更が可能である。
【００３８】
例えば、実施の形態１では、ボルト５０は、規制部材として小径部５１２及び段差部５１３を有しているものであったが、これに限定されず、例えば雄ネジ部５１１と段差部５１３との間に小径部５１２を設けず、雄ネジ部５１１と段差部５１３とが軸線ｚ１方向において接するように設けられていてもよい。
【００３９】
また、実施の形態１では、ボルト５０を下側から上側に向けて挿入し、その上側でナット６０を締め付けるようにしているが、ナットとボルトを上下逆にして構成することもできる。例えば、下側に溶接等でナットを固定しておき、ボルトを上側から挿入し、このボルトを締結するようにする。この構造によっても、ボルトを上下方向に挿通することができ、作業者は、バッテリーポスト端子１０の上側で締結作業を行うことができる。
【００４０】
また、実施の形態１では、スロープ部材４０を伸張部３２の上側から被せるように取り付けているが、伸張部３２の下側から取り付けるようにして、スロープ部材を上側に引き上げるようにしてもよい。この場合、伸張部３２の傾斜面３４およびスロープ部材４０のスロープ４２１の傾斜をそれぞれ上下逆にして形成すればよい。この構造であっても、多方向に作用する力をバランス良く受けることができる。
【００４１】
［実施の形態２］
次に、本発明の実施の形態２に係るバッテリーポスト端子の固定構造１Ａについて、図面を用いて説明する。なお、以下の説明では、実施の形態１で説明したものと異なる構造についてのみ説明し、同じ構造については、説明または図中に同一の符号を付すことでその詳細説明を省略する。
【００４２】
図６は、実施の形態２に係るバッテリーポスト端子の固定構造１Ａの分解斜視図である。図７は、バッテリーポスト端子の固定構造１Ａのナット６０締結前の状態を示す斜視図である。図８は、バッテリーポスト端子の固定構造１Ａのナット６０締結後の状態を示す斜視図である。図９は、バッテリーポスト端子の固定構造１Ａのナット６０締結前の状態を示す部分断面図である。図１０は、バッテリーポスト端子の固定構造１Ａのナット６０締結後の状態を示す部分断面図である。図９及び図１０は、バッテリーポスト端子の固定構造１Ａを正面から見た図であり、固定部３１の一部のみ断面図で示している。
【００４３】
図６乃至図１０に示すように、実施の形態２に係るバッテリーポスト端子の固定構造１Ａは、ボルト５０Ａのみが先に説明したバッテリーポスト端子の固定構造１と相違する。
【００４４】
ボルト５０は、図６に示すように、上下方向に延在するネジ部５１Ａと、このネジ部５１Ａの下側に位置する頭部５２と、ネジ部５１Ａに被着されるカラー５３とで構成されている。ネジ部５１Ａは、上側を向いている先端部から頭部５２までの範囲にネジ山が形成されている雄ネジである。カラー５３は、スロープ部材４０の軸線ｚ１方向への移動を規制する規制部材として機能する。
【００４５】
カラー５３は、ネジ部５１Ａを挿通可能な寸法の内周面を有する筒状の部材である。カラー５３は、一端がネジ部５１Ａに被着されてネジ部５１Ａの基端側に設けられている頭部５２の上側の面に当接する。この状態において、カラー５３は、他端部５３１がネジ部５１Ａの軸線ｚ１方向上側に位置する。
【００４６】
次に、実施の形態２におけるバッテリーポスト端子の固定構造１Ａの作用について説明する。
【００４７】
バッテリーポスト端子の固定構造１Ａにおいて、ナット６０を締結する前の状態は、図７および図９に示すように、固定部３１の上にスロープ部材４０が置かれた状態である。スロープ部材４０のスロープ４２１は、固定部３１の傾斜面３４と面で接触している。また、ボルト５０が固定部３１の下側から挿通され、ネジ部５１が左右の伸張部３２の内周面３２１の空間（より詳細には、左右のボス部３５の間）を通って、スロープ部材４０の挿通孔４１１に挿通され、ナット６０で仮締めされている。
【００４８】
スロープ部材４０の左右方向の位置は、スロープ４２１と傾斜面３４がそれぞれ面で接触することで規制される。また、前後方向の位置は、スロープ部材４０の前後方向の内側面と固定部３１のボス部３５とがそれぞれ接することで規制される。また、スロープ部材４０の前後方向の位置は、脚部４２の前後方向の内側面とボス部３５とによっても規制されている。ボルト５０は、スロープ部材４０の左右方向の外周面と頭部５２の上側の面とが接することによってその位置が規制されている。
【００４９】
バッテリーポスト端子の固定構造１Ａは、先に説明したバッテリーポスト端子の固定構造１と同様に、図７及び図９に示した状態から、ナット６０をスロープ部材４０の上側から締め付けると、図８及び図１０に示すように、スロープ部材４０は、スロープ４２１と傾斜面３４との左右での面接触によって案内されながら軸線ｚ１方向、具体的には下側−ｚ方向（ボルト５０Ａの締付方向。図１０参照）に移動する。また、スロープ４２１は、軸線ｚ１方向に移動することにより左右の伸張部３２の傾斜面３４を内側＋ｘ方向または−ｘ方向（図１０参照）に押圧する。これにより、左右の伸張部３２の左右方向の間隔が狭まるように内側へ弾性変形し、電極嵌合部２１の内周面２２内のバッテリーポストが締め付け固定される。
【００５０】
ボルト５０Ａは、ネジ部５１Ａの雄ネジによりスロープ部材４０が軸線ｚ１方向、具体的には下側の−ｚ軸方向に移動する。具体的には、ボルト５０において、ネジ部５１の先端側から雄ネジ部５１１に螺着されたナット６０がネジ部５１Ａの締付方向、つまり−ｚ１方向に移動することにより、ナット６０に接するスロープ部材４０の天面部４１が押圧されてスロープ部材４０が軸線ｚ１方向に移動する。カラー５３は、ネジ部５１の先端部から所定の長さ範囲に形成されているため、このカラー５３の長さの範囲内においてナット６０及びスロープ部材４０が軸線ｚ１方向に移動する。
【００５１】
ナット６０がカラー５３の他端部５３１まで到達すると、スロープ部材４０の天面部４１の下側の面が他端部５３１に当接し、ナット６０及びスロープ部材４０の軸線ｚ１方向下方への移動が規制される。このように、ボルト５０Ａは、ネジ部５１Ａにカラー５３が被着されていることにより、ナット６０及びナット６０とともに移動可能なスロープ部材４０が軸線ｚ１方向、具体的には下側の−ｚ軸方向に移動するのを規制する。
【００５２】
以上のように構成されているバッテリーポスト端子の固定構造１Ａによれば、先に説明したバッテリーポスト端子の固定構造１と同様に、ボルト５０Ａに対する規定トルクを超える締付け、あるいはボルト５０Ａとナット６０との間に防錆用の油が付着した状態で締付けが行われたとしても、ナット６０及びバッテリーポスト端子の固定構造１Ａに設けられているスロープ部材４０の軸線ｚ１方向の位置が必要以上に下がることで、バッテリーポスト端子が必要以上に変形することを抑制することができる。
【００５３】
また、以上のように構成されているバッテリーポスト端子の固定構造１Ａによれば、ボルト５０のネジ部５１Ａに筒状のカラー５３を被着することによりナット６０及びスロープ部材４０の移動を規制することができる。このため、バッテリーポスト端子の固定構造１Ａによれば、簡易な構成によりバッテリーポスト端子が必要以上に変形することを抑制することができる。
【００５４】
以上、本発明の実施の形態２に係るバッテリーポスト端子の固定構造１Ａについて述べたが、本発明は既述の実施形態に限定されるものではなく、本発明の技術思想に基づいて各種の変形および変更が可能である。
【００５５】
例えば、バッテリーポスト端子の固定構造１Ａでは、カラー５３は、内部に空間が設けられている筒状に形成されていたが、これに限定されず、例えば形状が角柱状であってもよい。
【符号の説明】
【００５６】
１  固定構造
１０  バッテリーポスト端子
１１  接続部
２１  電極嵌合部
２２  内周面
２３  先端部
２４  溝
３１  固定部
３２  伸張部
３３  折り曲げ部
３４  傾斜面
３５  ボス部
３６  端部
４０  スロープ部材
４１  天面部
４２  脚部
５０  ボルト
５１  ネジ部
５２  頭部
５３  カラー
６０  ナット
３２１  内周面
４１１  挿通孔
４２１  スロープ
５１１  雄ネジ部
５１２  小径部
５１３  段差部
５３１  他端部
【図１】
2020161292.tif 000003
【図２】
2020161292.tif 000004
【図３】
2020161292.tif 000005
【図４】
2020161292.tif 000006
【図５】
2020161292.tif 000007
【図６】
2020161292.tif 000008
【図７】
2020161292.tif 000009
【図８】
2020161292.tif 000010
【図９】
2020161292.tif 000011
【図１０】
2020161292.tif 000012